(57)【要約】【課題】  任意のバインダー等に綴じこんだ状態で容易に収納物を収納、取り出すことができる収納用具を提供する【解決手段】  ベースシートと、該ベースシートの一方の側辺に設けられリングや差込片等の綴じ機構を有する任意の綴じ部材に対応する綴じ穴を有する綴じ部と、前記ベースシートの他方の側辺と下辺で接合され前記ベースシートとで収納部を形成する開閉シートと、前記開閉シートを綴じた状態で係止する係止機構とより構成される。【選択図】図１
2008087455.tif 000002
【特許請求の範囲】
【請求項１】
ベースシートと、該ベースシートの一方の側辺に設けられリングや差込片等の綴じ機構を有する任意の綴じ部材に対応する綴じ穴を有する綴じ部と、前記ベースシートの他方の側辺と下辺で接合され前記ベースシートとで収納部を形成する開閉シートと、前記開閉シートを綴じた状態で係止する係止機構とよりなる収納用具。
【請求項２】
開閉シート及び綴じ部がベースシートに延接された１枚のシートからなり、接着や溶着等の接合手段により形成されたものであり、係止機構は前記開閉シートの開放辺と前記ベースシートあるいは前記綴じ部の開放辺に対応する位置に設けられ一枚シートからの接合手段で形成されるものであることを特徴とする請求項１記載の収納用具。
【請求項３】
ベース板と、該ベース板の側辺に設けられた複数の糸掛けスリットとよりなり、前記収納部に収納される巻き部材を備えたことを特徴とする請求項１又は２記載の収納用具。
【請求項４】
係止機構に収納物の厚さに応じて位置調整する厚さ対応位置調整機構を設けたことを特徴とする請求項１、２又は３記載の収納用具。
【発明の詳細な説明】
【技術分野】
【０００１】  本発明は、任意のバインダー等に綴じこんだ状態で容易に収納物を収納、取り出すことができる収納用具に関するものである。
【背景技術】
【０００２】  従来、バインダーに綴じこむ収納用具として、側辺に綴じ部を有するポケット状の収納ファイルがあった。
ファイルとして、表裏シートの一側辺と下辺が接合されたものがあった。
釣り糸と針よりなる仕掛けや縫製糸の巻き部材として、ベース板の周辺にスリットを設けたものが単体としてあったが、巻きつけた状態で箱状の収納容器に他の巻き部材や他の収納物と一緒に収納していた。
特許文献１として、ベースと該ベースに重合するカバーシートより成り、そのベースとカバーシートとの間に書類を挟んで収納できるようにしたシートであって、前記カバーシートの直交する二辺が前記ベースに接続されるとともに他辺が書類を出し入れ可能な開口縁として開放され、その開口縁より突出した前記ベースの側縁に綴込用穴が穿設された構造のものがあった。
【特許文献１】  特開平１１−９９７７１
【発明の開示】
【発明が解決しようとする課題】
【０００３】  そのために、次のような問題があった。
ポケット状の収納ファイルにおいては、２枚のシートを上部のみが開口する構造となっているため１枚の書類はもとより、複数の書類や肉厚のある物品等のある程度厚みのある収納物を収納するのが困難であった。
表裏シートの一側辺と下辺が接合されたファイルや特許文献１に示されるようなポケットにおいては、収納は簡単であるが、その状態でバインダー等に綴じこむことが困難であった。また、収納や取り出しは簡単であっても表裏シートの二側辺が開放されているため、脱落しやすくなっていた。
ベース板の周辺にスリットを設けた巻き部材においては、巻きつけた状態で箱状の収納容器に他の巻き部材や他の収納物と一緒に収納するため、他の巻き部材や他の収納物とからまりが頻繁に発生し、ほどくのに時間がかかったり、ほどけない場合は捨てなければいけない状況となっていた。
本発明は以上の欠点を解決するものである。
【課題を解決するための手段】
【０００４】  ベースシートと、該ベースシートの一方の側辺に設けられリングや差込片等の綴じ機構を有する任意の綴じ部材に対応する綴じ穴を有する綴じ部と、前記ベースシートの他方の側辺と下辺で接合され前記ベースシートとで収納部を形成する開閉シートと、前記開閉シートを綴じた状態で係止する係止機構とよりなる。【０００５】  開閉シート及び綴じ部がベースシートに延接された１枚のシートからなり、接着や溶着等の接合手段により形成されたものであり、係止機構は前記開閉シートの開放辺と前記ベースシートあるいは前記綴じ部の開放辺に対応する位置に設けられ一枚シートからの接合手段で形成されるものであることを特徴とする。【０００６】  ベース板と、該ベース板の側辺に設けられた複数の糸掛けスリットとよりなり、前記収納部に収納される巻き部材を備えたことを特徴とする。【０００７】  係止機構に収納物の厚さに応じて位置調整する厚さ対応位置調整機構を設けたことを特徴とする。
【発明の効果】
【０００８】  本発明を使用することで、収納用具をバインダーに綴じた状態で厚みのある収納物でも容易に収納、取り出しすることができる。
また、係止機構を備えることにより、収納物の脱落を防ぐことができる。【０００９】  全体を折り返し部を利用した一枚のシート片から製造できる構造にすることで、低コストでの製造が可能となるとともに折り返し部の防水性を向上させることができる。【００１０】  ベースシートと開閉シートに収納される大きさ及び形状の巻き部材を利用することで、収納具内に紐や糸及びこれらを利用したものを安全に収納することができる。【００１１】  係止機構に収納物の厚さに応じて位置調整する厚さ対応位置調整機構を設けることで、収納物の厚さに対応した状態で脱落させることなく収納することができる。
【発明を実施するための最良の形態】
【００１２】  以下、本発明の第一実施の形態について図１乃至図５を用いて説明する。
図１は本発明の展開図、図２は本発明の分解斜視図、図３は本発明の使用説明図、図４は本発明の使用説明図、図５は本発明の使用状態図である。
本発明の収納体１の展開状態の表面から見たのが図１ａであり、裏面から見たのが図１ｂである。図１ａに示すように、収納体シートは方形状のベースシート４の左辺に開閉シート５が収納折り返し部１２を介して延設されている。開閉シート５はベースシート４と同形状のもので、開閉シート５の左辺上には差込片７が延設されている。
ベースシート４の右辺には綴じ部形成片８ａが延設されており、更に同形状の綴じ部形成片８ｂが綴じ部折り返し部１１を介して延設されている。綴じ部折り返し部１１を中心にスリット形成部１０と綴じ穴形成部９が対称に上下一対設けられている。
また、綴じ部形成片８の前記綴じ穴形成部９及びスリット形成部１０を含み下部表面は綴じ部接合部１３となっており接着や熱溶着等の通常もちいられる接合手段により綴じ部折り返し部１１から折り返した状態で接合するようになっている。この際、綴じ部形成片８上部表面は綴じ部否接合部１７となっている。この綴じ部否接合部１７は前記差込片７の縦幅より長く、差込片収納部を形成するようになっている。また、綴じ部接合部１３を接合することで図２に示すように綴じ部６及び綴じ穴１５、スリット１６を形成する。
ベースシート４及び開閉シート５の表面下辺には下辺接合部１４となっており、接着や熱溶着等の通常もちいられる接合手段により収納折り返し部１２から折り返した状態で接合するようになっている。
各接合部を接合することで、図２に示すように開閉シート５の上辺と右側辺が開放状態となるようにベースシート４と収納部を形成する。
また、図３に示すように開閉シート５が前面となる状態で差込片７が綴じ部６の上部開放部に収納される状態となっている。
収納体１に補助的に具備されるのが巻き部材２である。巻き部材２は図３及び図４に示すように収納体１の収納部に収納される厚さ及び大きさのものであり、図２にて示すように方形のベース板１８の周辺に切り込みにより複数の糸掛けスリット１９が設けられている。糸掛けスリットは釣り板、縫製糸等の任意の糸が固定される幅となっている。また、ベース板１８は硬質なものであってもよいが、釣り針や縫製針等の任意の針がさせるものであることが望ましい。
本発明は以上の構成よりなる。
これを使用するときは、図３に示すように単体として収納具として利用したり、図５に示すように任意の綴じ部材２２を有するファイル状のカバー体３を利用して複数の収納体１を保管する。
単体として利用する場合には、開閉シート５の開放部を開いてシート状の収納物やある程度の厚みのある収納物をベースシート４と開閉シート５の間に配置し、差込片７を綴じ部６の差込片収納部に差込み収納固定する。
巻き部材２の利用方法として、仕掛け針を利用した事例として説明する。この際、図４に示すように仕掛け針となる複数の釣り針２１のうち先端の釣り針２１をベース板１８の糸掛けスリット１９付近に引っ掛けるか、釣り針２１根元の糸取り付け部を引っ掛け、ベース板１８を巻き込むようにして取り付ける。これを、収納体１の収納部に収納する。
これら収納にあたり、開閉シート５を開閉式に使用することにより、通常一辺部のみしかあいていないポケット状の収納体では入れにくいものでも、容易に収納固定することができる。
ファイル状のカバー体３を利用することで、複数の任意厚の収納物を効率的に収納可能となる。図５を利用して説明する。
カバー体３の一般的な事例として内面に開閉式のリング２４を有する綴じ部材２２を有する背部２５と、裏部２６と、表部２７からなるもので説明する。
ここで、綴じ部材２２は背部２５内側に設けられた基板２３と、通常用いられる任意の開閉機構からなる開閉式のリング２４となっている。更に、裏部２６の開放辺から延びるベルト体２８が設けられており、該ベルト体２８先端内側に面ファスナー２９が設けられている。この面ファスナー２９は図示されていないが表部２７表面に設けられ面ファスナー２９と着脱可能となる着脱補助部材と着脱固定されるようになっている。
本発明の閉じ穴１５はこのリング２４に対応する位置及び大きさよりなり、リング２４の開閉により取り付けることも可能であるし、リング２４を綴じた状態でスリット１６から綴じ穴１５に取り付けることも可能である。この際、スリット１６はリング２４の厚みよりも小さい幅とすることで抜け防止となる。
このように収納体１をカバー体３に取り付けた状態で、上記説明した方法により収納物を容易に収納することができる。【００１３】  また、差込片７の収納をより安定させることも可能である。その形態について図６乃至図７をもちいて説明する。
図６は他の形態を示す展開図、図７は他の形態の使用説明図である。
図示の形態において、図６に示すように綴じ部形成部８の上辺に綴じ部接合部１３ｂが設けられている。これにより、差込片７の収納部は上下に綴じられた状態となる。
また、差込片７はこの形状に対応するために上辺が切りかかれた形状となっている。この差込片７を図７に示すように差し込んだ場合、上下に逃げがなくなるので前記事例と比較して抜けにくくすることが可能である。【００１４】  以下、本発明の第二実施の形態について図８乃至図９を用いて説明する。
図８は本発明の第二実施の展開図、図９は本発明の第二実施の使用説明図である。
前記実施例においては、ベースシート４と開閉シート５の係止機構として差込片７と綴じ部に形成された差込片収納部とにより構成するものであったが、これに限定されるものではなく、通常用いられる係止機構であればよい。
その一つとして、図８に示すような上下に突出した形状の差込片７とし、これを係止するために上下に差込スリット３０を設ける構造とすることも可能である。
この際は、図９に示すように、差込片７の上下突出部を差込スリット３０に差込み係止することも可能である。【００１５】  以下、本発明の第三実施の形態について図１０乃至図１１を用いて説明する。
図１０は本発明の第三実施の展開図、図１１は本発明の第三実施の使用説明図である。
本事例は、前記第二実施の形態と同様に差込片７の上下突出部３１を差込スリット３０に差込み係止するものであるが、差込スリット一対を左右に配置されている。
これを使用することで、ベースシート４と開閉シート５により形成される収納空間を調整できる。例えば厚みをあまり考慮しなくてもよい収納物の場合には図１１ａに示すように差込片７の突出部３１を綴じ部折り返し部１１側の差込スリット３０ｂに挿入して係止し、厚みが増す収納物を収納する場合には差込片７の突出部３１を差込スリット３０ａに係止する。差込スリット３０ａを利用した場合には、ベースシート４と開閉シート５間に隙間が形成され、これら厚手の収納物に対応するとともに、その状態で係止することができる。【００１６】  尚、本発明の係止機構はこれに限定されるものではなく、差込構造はもちろん、差込片７に剥離、着脱可能な従来構成からなるものであってもよい。
あわせて、一体シートの折り返し位置に関しても限定されず、最終的に同様作用を施す形状のものであってもよい。
また、綴じ部に関しても、一体シートからなるものでなく、別付けのものであってもよい。
【図面の簡単な説明】
【００１７】
【図１】  本発明の展開図
【図２】  本発明の分解斜視図
【図３】  本発明の使用説明図
【図４】  本発明の使用説明図
【図５】  本発明の使用状態図
【図６】  本発明の他の形態の展開図
【図７】  本発明の他の形態の使用説明図
【図８】  本発明の第二実施の展開図
【図９】  本発明の第二実施の使用説明図
【図１０】  本発明の第三実施の展開図
【図１１】  本発明の第三実施の使用説明図
【符号の説明】
【００１８】  １  収納体、                            ２  巻き部材、
３  カバー体、                          ４  ベースシート、
５  開閉シート、                        ６  綴じ部、
７  差込片、                            ８；８ａ；８ｂ  綴じ部形成部、
９  綴じ穴形成部、                      １０  スリット形成部、
１１  綴じ部折り返し部、                １２  収納折り返し部、
１３  綴じ部接合部、                    １４  下辺接合部、
１５  綴じ穴、                          １６  スリット、
１７；１７ａ；１７ｂ  綴じ部否接合部、
１８  ベース板、                        １９  糸掛けスリット、
２０  釣り糸、                          ２１  釣り針、
２２  綴じ部材、                        ２３  基板、
２４  リング、                          ２５  背部、
２６  裏部、                            ２７  表部、
２８  ベルト体、                        ２９  面ファスナー、
３０；３０ａ；３０ｂ  差込スリット、    ３１  突出部
【図１】
2008087455.tif 000003
【図２】
2008087455.tif 000004
【図３】
2008087455.tif 000005
【図４】
2008087455.tif 000006
【図５】
2008087455.tif 000007
【図６】
2008087455.tif 000008
【図７】
2008087455.tif 000009
【図８】
2008087455.tif 000010
【図９】
2008087455.tif 000011
【図１０】
2008087455.tif 000012
【図１１】
2008087455.tif 000013